(57)【要約】  動力工具用付属品、および、組合せたものが、もたらされる。動力工具用付属品（２０）は、その付属品を動力工具に連結するための接続部（２２）を含む本体（２１）と、その動力工具と情報伝達するために本体に位置付けられた情報伝達部（２４）とを含み得る。
2008524003.tif 000002
【特許請求の範囲】
【請求項１】
動力工具用付属品であって、
前記付属品を前記動力工具に接続する接続部を含む本体と、
前記動力工具と情報伝達するために前記本体に位置付けられた情報伝達部と、
を含む動力工具用付属品。
【請求項２】
前記付属品は、丸鋸歯である請求項１に記載の動力工具用付属品。
【請求項３】
前記付属品は、ドリルビットである請求項１に記載の動力工具用付属品
【請求項４】
前記付属品は、往復鋸歯である請求項１に記載の動力工具用付属品。
【請求項５】
前記付属品は、ロータリーハンマービットである請求項１に記載の動力工具用付属品。
【請求項６】
前記付属品は、砥石車である請求項１に記載の動力工具用付属品。
【請求項７】
前記付属品は、ホールソーである請求項１に記載の動力工具用付属品。
【請求項８】
前記情報伝達部は、前記動力工具の作動に影響を与えるように前記動力工具と情報伝達する請求項１に記載の動力工具用付属品。
【請求項９】
前記情報伝達部は、前記動力工具に直接的に接触することによって該動力工具と情報伝達する請求項１に記載の動力工具用付属品。
【請求項１０】
前記情報伝達部は、直接的な接触を必要としない方法で前記動力工具と情報伝達する請求項１に記載の動力工具用付属品。
【請求項１１】
前記情報伝達部は、前記動力工具と電子的に情報伝達する請求項１に記載の動力工具用付属品。
【請求項１２】
前記情報伝達部は、窪みまたはスプラインのうちの１つであり、該窪みまたは前記スプラインのうちの１つは、前記動力工具と直接的に接触することによって該動力工具と情報伝達する請求項１に記載の動力工具用付属品。
【請求項１３】
前記情報伝達部は、前記付属品の本体内に画定された穴または切欠きのうちの１つであり、前記穴または該切欠きのうちの１つは、前記動力工具が該穴または該切欠きのうちの１つを検出することによって、該動力工具と情報伝達する請求項１に記載の動力工具用付属品。
【請求項１４】
前記情報伝達部は、電子素子であり、該情報伝達部は、ＲＦＩＤ素子またはＷＩ−ＦＩ素子のうちの１つである請求項１に記載の動力工具用付属品。
【請求項１５】
前記情報伝達部は、温度センサである請求項１に記載の動力工具用付属品。
【請求項１６】
ハウジングと該ハウジングによって支持されるモータとを含む動力工具と、
前記動力工具に接続可能であり、前記モータによって駆動可能な動力工具用付属品と、
を含む組合せたものにおいて、
前記動力工具用付属品は、該動力工具と情報伝達し、前記動力工具の作動に影響を与える組合せ。
【請求項１７】
前記付属品は、前記付属品を前記動力工具に接続するための接続部を有する本体を含み、該付属品は、該動力工具と情報伝達するために前記本体上に位置付けられる情報伝達部をさらに含む請求項１６に記載の組合せ。
【請求項１８】
前記動力工具用付属品は、前記動力工具と直接的に接触することによって該動力工具と情報伝達する請求項１６に記載の組合せ。
【請求項１９】
前記動力工具用付属品は、直接接触を必要としない方法で前記動力工具と情報伝達する請求項１６に記載の組合せ。
【請求項２０】
前記動力工具用付属品は、前記動力工具と電子的に情報伝達する請求項１６に記載の組合せ。
【請求項２１】
前記付属品は、前記動力工具と情報伝達するための情報伝達部を含む請求項１６に記載の組合せ。
【請求項２２】
前記情報伝達部は、窪みまたはスプラインのうちの１つであり、前記動力工具は、前記窪みまたは前記スプラインのうちの１つと直接的に接触するセンサを含む請求項２１に記載の組合せ。
【請求項２３】
前記情報伝達部は、前記付属品内に画定された穴または切欠きのうちの１つであり、前記動力工具は、前記穴または前記切欠きのうちの１つを検出するように作動可能なセンサを含む請求項２１に記載の組合せ。
【請求項２４】
前記情報伝達部は、電子素子であり、ＲＦＩＤ素子およびＷＩ−ＦＩ素子のうちの１つである請求項２１に記載の組合せ。
【請求項２５】
前記情報伝達部は、温度センサである請求項２１に記載の組合せ。
【請求項２６】
ハウジングと該ハウジングによって支持されるモータとを含む動力工具と、
前記動力工具に接続可能であって前記モータによって駆動可能であり、情報伝達部を含む動力工具用付属品と、
前記動力工具の作動に関連する特性を使用者に表示するように作動可能な表示装置と、
を含む組み合わせたものにおいて、
前記情報伝達部は、前記動力工具および前記表示装置のうちの少なくとも１つと情報伝達するように作動可能である組合せ。
【請求項２７】
前記情報伝達部は、前記表示装置と情報伝達する請求項２６に記載の組合せ。
【請求項２８】
前記情報伝達部は、電子素子であり、前記動力工具および前記表示装置のうちの少なくとも１つと電子的に情報伝達する請求項２６に記載の組合せ。
【請求項２９】
前記情報伝達部は、ＲＦＩＤ素子またはＷＩ−ＦＩ素子のうちの１つである請求項２８に記載の組合せ。
【請求項３０】
前記情報伝達部は、前記表示装置と情報伝達する請求項２８に記載の組合せ。
【請求項３１】
前記表示装置は、前記動力工具の作動に関連する特性を使用者に表示するためのＬＥＤを含む請求項２６に記載の組合せ。
【請求項３２】
前記表示装置は、前記動力工具の作動に関連する特性を使用者に表示するための点灯可能な矢印を含む請求項２６に記載の組合せ。
【請求項３３】
前記表示装置は、前記動力工具の作動に関連する複数の特性を使用者に表示するための複数の表示器を含む請求項２６に記載の組合せ。
【請求項３４】
前記表示装置は、前記動力工具から分離した動力源によって作動される請求項２６に記載の組合せ。
【請求項３５】
前記表示装置は、該表示装置をＡＣ電源に接続するためのＡＣ電源コードを含む請求項３４に記載の組合せ。
【請求項３６】
前記動力源は、電池である請求項３４に記載の組合せ。
【請求項３７】
前記動力源は、動力工具用電池である請求項３４に記載の組合せ。
【請求項３８】
動力工具および在庫システムと情報伝達可能な動力工具用付属品であって、
前記付属品を前記動力工具に接続するための接続部を含む本体と、
前記本体に位置付けられ、前記動力工具および前記在庫システムと情報伝達する情報伝達部と、
を含む動力工具用付属品。
【請求項３９】
前記情報伝達部は、電子素子である請求項３８に記載の動力工具用付属品。
【請求項４０】
前記情報伝達部は、ＲＦＩＤ素子またはＷＩ−ＦＩ素子のうちの１つである請求項３９に記載の動力工具用付属品。
【発明の詳細な説明】
【技術分野】
【０００１】
本発明は、概ね、動力工具用および他の機器用の付属品に関し、より詳細には、動力工具および他の機器と情報伝達する動力工具用および他の機器用の付属品に関する。
【０００２】
本出願は、先に出願された同時係属中の２００４年１２月１７日出願の米国特許仮出願番号第６０／６３７，６０２号に基づく優先権を主張し、その全内容は、引用により本明細書の一部を構成する。
【発明の開示】
【課題を解決するための手段】
【０００３】
例えば、動力工具のような製品は、種々のタイプの被加工物（例えば、木材、金属、コンクリート、材料の組み合わせ等）に対する種々の作業を行うために用いられる。動力工具は、所定の動力工具、および、所定のタイプの被加工物に対して望ましいまたは最適な性能特性（例えば、モータ速度、切削送り速度）を有し得る。このような工具および被加工物の組み合わせに関して、所定のタイプの付属品が、用いられ、あるいは、加工を行うことが好ましい場合がある（例えば、木材用、金属用のビット／ブレード）。
【０００４】
例えば、動力ドリル用のドリルビット、往復鋸用または丸鋸用の鋸歯等のような製品の付属品は、例えば、穿孔速度、切削速度等のような性能を向上させるため、および／または性能特性を設定するために、動力工具と情報伝達するためのある種の構造または手段を備え得る。付属品から工具への情報伝達を達成する構造または手段の一例は、接触／機械式、非接触／機械式、電子式等を含み得る。
【０００５】
幾つかの態様において、動力工具用付属品が提供される。この付属品は、付属品を動力工具に接続するための接続部を含む本体と、動力工具と情報伝達するための本体上に配置された情報伝達部とを含む。
【０００６】
幾つかの態様において、組合せが提供され、この組合せは、ハウジングとハウジングによって支持されるモータとを含む動力工具と、動力工具に接続可能でモータによって駆動可能な動力工具付属品とを含み、この動力工具付属品は、動力工具と情報伝達し、動力工具の作動に影響を与える。
【０００７】
幾つかの態様において、組合せが提供され、この組合せは、ハウジングとハウジングによって支持されるモータとを含む動力工具と、動力工具に接続可能で、モータによって駆動可能な動力工具付属品とを含み、この付属品は、情報伝達部と、動力工具の作動に関する特性を使用者に表示するように作動可能な表示装置とを含み、この情報伝達部は、動力工具および表示装置のうちの少なくとも１つと情報伝達するように作動可能である。
【０００８】
幾つかの態様において、動力工具用の付属品が提供される。この付属品は、動力工具および在庫システムと情報伝達することが可能であり、付属品を動力工具に接続するための接続部を含む本体と、動力工具および在庫システムと情報伝達するために本体に位置付けられた情報伝達部とを含む
本発明の個別の特徴および個別の利点は、以下の詳細な説明および図面を参照することで、当業者に明らかとなるだろう。
【発明を実施するための最良の形態】
【０００９】
本発明におけるいかなる特徴および少なくとも１つの構成を詳細に説明する前に、本発明は、以下の説明によって記述され、あるいは図面で示される構成および上述の構成要素の配置の内容にその用途が限定されるものではないことが理解されるべきである。本発明は、他の構成とすることが可能であり、種々の方法で実行され、即ち、行われることが可能である。また、本明細書において用いられる言い回しおよび用語は、説明を目的とするものであり、限定するものとみなされるべきではないことも了解される。
【００１０】
「含む（ｉｎｃｌｕｄｉｎｇ）」、「有する（ｈａｖｉｎｇ）」、および「含む（ｃｏｍｐｒｉｓｉｎｇ）」ならびにそれらのバリエーションの本明細書における用法は、その後に列挙される物およびその均等物ならびに追加の物を包含することを意味する。方法または手順の要素を識別するための文字の用法は、単に識別のためであり、それらの要素が特定の順序で実行されるべきであることを示すことを意味するものではない。
【００１１】
以下で、図面の説明において、上方、下方、下方へ、上方へ、後方へ、底部、正面、背面等のように方向に言及する場合があるが、これらの言及は、その図面に関して（普通に見えるように）便宜上なされる。これらの方向は、文字通りにとられること、あるいは、本発明をいかなる形においても限定することを意図するものではない。加えて、「第１」、「第２」、および「第３」のような用語は、本明細書において、記述の目的で使用され、相対的な重要性または有意性を示すまたは暗示することを意図するものではない。例えば、動力ドリル用のドリルビットまたはホールソー、動力駆動式往復鋸用または丸鋸用の鋸歯、グラインダ用の砥石車等のような製品付属品２０は、例えば、穿孔速度、切削速度等のような性能を向上させるため、および／または性能特性を設定するために例えば、動力工具または他の機器のような製品２８と情報伝達するための、例えば、ある種の構造、構造の欠如、または手段のような情報伝達部２４を装備し得る。付属品２０から製品２８への情報伝達を達成するための例示的な情報伝達部２４は、接触／機械式、非接触／機械式、電子式等を含んでもよい。
【００１２】
製品付属品２０は、普通に、付属品２０を製品２８に接続するための接続部２２を有する本体２１を含む。例えば、動力工具のような製品２８は、ハウジング２９と、付属品２０が動力工具２８に接続された場合、付属品２０を駆動するためのハウジング２９によって支持されるモータ３０（図６および図７Ａ参照）と、モータ３０に電力を供給するための電力源（図示せず）とを含む。
【００１３】
図１Ａ−図１Ｃは、概ね、製品２８と情報伝達するための接触／機械式情報伝達の構成を含む幾つかの付属品２０を示す。例えば、丸鋸歯のための情報伝達部２４は、例えば、窪みの配列２４のような模様をそのハブの近くに含み、ドリルビットは、１つ以上のスプライン２４をその接続端の近くに含み、あるいは、往復鋸歯は、例えば、１つ以上の切欠き２４をその中に含み得る。「機械式」相互作用を通じて、製品２８における（例えば、丸鋸上の）センサは、情報伝達部２４の位置で付属品２０に物理的に接触して製品２８にフィードバック／情報を供給する。制御回路３２（例えば、図７Ａ参照）は、フィードバック／情報を分析し、製品２８および付属品２０の作動を最適化するように製品２８についての性能特性（例えば、モータ速度、切削送り速度等）を設定する。また、制御回路３２は、使用中の付属品２０が適切に用いられているかどうか（例えば、木材を切削するためには木材切削ブレード、金属を切削するためには金属切削ブレード、等）を判断し得る。
【００１４】
しかしながら、幾つかの場合、付属品２０とセンサ（例えば、レバーまたはボタン等）との間の物理的な係合が、例えば、磨耗、汚染等のために好ましくないことがある。図２Ａ−図２Ｇは、概ね、製品２８と情報伝達するための非接触／機械式情報伝達の構成を含む幾つかの付属品２０を示す。このような構成においては、情報伝達部２４は、付属品２０に設けられる少なくとも１つの物理的特質２４を含むことができ、非接触式のピックアップセンサ３６（例えば、図６、図７Ａ、および図８参照）は、情報伝達部２４を検出するために設けられる。情報伝達部２４からセンサ３６によって得られた情報から、付属品２０の１つ以上の特性、および／または、付属品２０および／または製品２８の性能（例えば、回転速度、温度等）が判断され、特性および／または性能が、製品２８にもたらされる。製品２８は、この情報を受け取り、速度等を変更して、製品２８および／または付属品２０の性能を向上、および／または、最適化することができる。
【００１５】
例えば、図２Ａ−図２Ｅに示されるように、情報伝達部２４は、丸鋸歯２０の中に設けられる一連の穴２４を含み、丸鋸２８は、丸鋸歯２０中の穴２４を検出するための例えば、ホール効果センサ、磁気ピックアップ、光学素子等のようなセンサを含み得る。丸鋸歯は、特定の材料を切削するためにまさに特定の回転速度で回転せしめられる必要がある。これらの特定の回転速度で丸鋸歯を回転させると、丸鋸および丸鋸歯は、最適性能で作動し、これにより、丸鋸歯の切刃または被加工物に対する（主として温度上昇による）損傷を抑制する。
【００１６】
また、例えば、金属の切削において、低炭素鋼を切削するための丸鋸歯の好ましい回転速度は、ステンレス鋼を切削するための回転速度よりも遥かに速い。使用者は、特定の材料に対して間違った速度または最適速度未満の速度で丸鋸を回転させる場合があり、これは、鋸歯、被加工物等に損傷を与える可能性がある。１つの構成において、丸鋸歯２０中の情報伝達部２４（例えば、いくつかの穴）は、鋸２８に対して、鋸歯２０で切削する材料のタイプ、作動させる速度等を示す。このような情報伝達部２４は、かなり耐久性があり得る。この構成の例として、穴のない丸鋸歯２０は、鋸２８に対して、その丸鋸歯２０が木材切削用丸鋸歯２０であること、および、丸鋸２８は木材を切削するために最適の速度（例えば、３０００ストローク／分）で作動すべきであることを示すことができる。同様に、丸鋸歯２０における１つの穴２４は、その鋸歯２０が金属切削用である丸鋸２８を示すことができる。
【００１７】
これに対して、鋸２８は、２０００ストローク／分で回転することになり、丸鋸歯２０における３つの穴２４は、プラスチックを示し、他の配置の３つの穴２４は、低炭素鋼を示し、４つの穴２４は、アルミニウムを示し、５つの穴２４は、ステンレス鋼等を示すことができる。このことによれば、また、物理的特質の欠如も情報伝達部２４とすることができる。すなわち、穴のない付属品もやはりセンサによって探知されることができ、センサがいかなる穴も検出しなかった場合でも、付属品２０に関し、情報が、やはり製品２８に伝達される。
【００１８】
図３Ａ−図３Ｅは、概ね、製品２８と情報伝達するための電子式情報伝達の構成を含む幾つかの付属品２０を示す。このような構成において、情報伝達部２４は、例えば、ＲＦＩＤタグ、ワイファイ（ＷＩ−ＦＩ）等の、埋め込まれた電子素子、即ち、回路２４であってもよい。電子素子、即ち、回路２４は、製品２８からの信号（例えば、ＷＩ−ＦＩ信号）によって動作可能とされる。付属品２０と製品２８の間で情報伝達されるフィードバック／情報は、概ね、例えば、付属品のサイズ、直径、刃の数、最適速度、好適な送り速度、その付属品により切削されるべき材料等を含み得る。付属品２０は、例えば、付属品２０または被加工物４０の温度を測定するための温度センサ２４のような他の形式の情報伝達部２４を含むことができる。
【００１９】
図３Ａに示されるように、ＲＦＩＤタグ２４は、ドリルビット２０のシャンク内に位置付け可能とされる。図３Ｂ−図３Ｅに示されるように、ＲＦＩＤ回路２４は、鋸歯２０の溝穴に鋳込まれ、あるいは、ラベルサーキット（ｌａｂｅｌ  ｃｉｒｃｕｉｔ）のように鋸歯２０上に位置付け可能とされる。
【００２０】
図４Ａ−図４Ｄは、例えば、ロータリーハンマードリルにおけるロータリーハンマーのような製品２８の動作の一例を示す。ロータリーハンマー２８でコンクリートを穿孔する場合、穿孔速度は、ビット２０の回転速度および／またはビット２０における１分あたりの打撃数に依存することがある。これらの２つの変数は、一般に、独立ではなく、例えば、そのビット直径、ビットにおける刃の数等に応じて変更する。
【００２１】
図４Ａおよび図４Ｄを参照すると、コンクリートを穿孔する場合、ビット２０は、実際に、槌で打つような動きによって穴の底部のコンクリートを破砕し、次いで、回転運動で破片を取り除く。打撃のタイミングは、穿孔速度に対して重要である。例えば、コンクリートビット２０は、２つの刃４４を有したもの（図４Ｂ参照）、４つの刃４４を有するものがある（図４Ｃ参照）。ドリルビット２０の底面上の刃４４の数に応じて、所定の回転速度に対する衝突パターンは、異なるだろう。穿孔速度は、刃４４が連続的なパターンでコンクリートに衝突したならば、改善され、それにより、コンクリートの縁部は、新しい表面を破砕するように衝撃が与えられる（例えば、次の衝撃が破砕縁の頂部に加えられる場合）。
【００２２】
現在、使用者は、付属品２０の反応をドリル２８へ送り返すわけではない。示される「スマート」アクセサリー２０を用いて、ドリル２８は、例えば、ビット直径および刃４４の数を（アクセサリー２０からの情報伝達により）認識するだろう。このフィードバック／情報を使って、ドリル２８は、次に、回転速度に対して衝突パターンを最適化し得る。これらのパラメータは、ドリル２８に事前にプログラムされてもよい。
【００２３】
また、図５Ａおよび図５Ｂに示されるように、インパクトドリル２８は、切込みについてのフィードバック／情報をドリル２８に送る深さセンサ４８を含む。、そして、ドリル２８は、穿孔の回転数（ｒｐｍ）と１回転あたりの衝突との割合を選択することを「学習」でき、穿孔速度（すなわち、１分毎のインチ単位での穿孔深さ）を増大させることができる。この「スマート」アクセサリー２０と「スマート」ツール２８との組み合わせが、以前には使用者によって行われていた任務（例えば、トリガポジション、加えられる操作者の力等）を減らすか、あるいは、除くことさえできる。使用者によって行われるその任務は、通常、一貫性がなく、所望の作動に対して最適ではない。図５Ａに示されるように、深さセンサ４８は、例えば、赤外線、音波（超音波）のような電子式とすることができる（例えば、自動車用バックアップセンサ、レーザ等）。図５Ｂに示されるように、深さセンサ４８は、例えば、被加工物表面に接触し、工具２８と連係／情報伝達するロッドのような機械式とすることができる。
【００２４】
一般に、「スマート」アクセサリー２０が、工具２８（ドリル）の回転数（ｒｐｍ）および１分毎の打撃数を駆動または制御するためには、これらの動作は、個別に制御されることになる。現在、１つのモータが、回転数（ｒｐｍ）および槌を打つ動作をある所定の比で制御するために用いられる。この比は、代表的には、刃４４の１つの構成におけるひとつのサイズのビット直径についてのみ最適化されている。「スマート」ツール２８は、２つのモータを有し得るものであり、１つは、槌を打つ動作を制御し、１つは、回転数（ｒｐｍ）を制御する。「スマート」アクセサリー２０は、工具２８と情報伝達し、工具２８は、個々のモータを異なる速度で作動させることにより対応し、従って、工具２８に接続された特定のビット２０に対して槌を打つ動作（すなわち、１回転毎の衝突および回転数（ｒｐｍ））を制御するだろう。
【００２５】
さらに、いったん穿孔を開始すると、穿孔速度のフィードバックは、槌を打つ動作および回転数（ｒｐｍ）を最適化するために用いることが可能とされる。使用者は、単に工具２８を作動させる必要があるだけで、残りの操作は「自動的」に行われるだろう。
【００２６】
図６に示されるように、１つの構成において、丸鋸２８は、鋸歯の溝を検出する丸鋸に配置されたセンサ３６を含む。センサ３６によって検出された情報から丸鋸２８は、鋸歯２０のタイプおよび鋸歯２０によって切削されるべき材料のタイプを判定し、それに従って、丸鋸２８の作動を調節する（例えば、工具の速度）。このような構成において、製品２８は、電子制御式モータまたは速度フィードバックを有するユニバーサルモータを装備してもよい。製品２８における電子回路は、鋸歯のデザイン／タイプに対して鋸歯２０の速度（およびモータの速度）を最適化するように作動可能とされ得る。
【００２７】
幾つかの態様において、単一の付属品２０は、種々の切削材料に対して最適化することができる。例えば、単一の丸鋸歯２０は、ブレード２０により切削される材料のタイプに従って最適化され得る。
【００２８】
「スマート」アクセサリー２０は、使用者に当て推量をやめさせ、付属品２０と製品２８との間の情報伝達が、付属品２０および製品２８の最適な作動を確立する。従って、ブレード２０が効率的に切削できること、および、長寿命を有することを可能にするその複数の変数は、使用者によってではなく、一般に、工具２８および付属品２０によって制御される。このような構成においては、使用者が最適な作動特性を知ること、および、鋸２８をそのような特性に調節することは必要とされない。
【００２９】
図７Ａおよび図７Ｂに示されるように、例えば、グラインダのような製品２８は、穴５６を有する受け板５２と、画定された少なくとも１つの穴２４を有する砥石車２０（図７Ｂ参照）と、砥石車２０の中に画定された穴２４の存在を検出するために、受け板５２の中に画定された穴５６に位置付けられたセンサ３６とを含む。センサ３６は、センサ３６によって検出された穴２４に基づくフィードバック／情報をグラインダ２８に供給する。このタイプの情報伝達は、グラインダ２８と砥石車２０との間の非接触／機械式の情報伝達である。あるいは、図７Ｃを参照すると、ＲＦＩＤラベル２４が、グラインダ２８に砥石車２０の特性、例えば、砥石車２０が加工すべき適切な材料、砥石車２０の最適速度等を情報伝達するように砥石車２０に設けられ得る。研削中の最適材料の除去は、代表的には、砥石２０の回転数（ｒｐｍ）に依存する。
【００３０】
図８Ａおよび図８Ｂに示されるように、例えば、往復鋸のような製品２８が、示され、例えば、それに接続された往復鋸歯のような付属品２０を有する。往復動鋸歯２０は、少なくとも１つの穴２４を含む。往復鋸２８は、往復鋸歯の穴２４の存在を検出して鋸歯２０に関するフィードバック／情報を往復動鋸２８に情報伝達するためのセンサ３６を含む。例として、往復鋸歯の速度は、金属を切削する場合、切削速度および鋸歯寿命に対して調節されてもよい。切削速度および鋸歯寿命の向上は、１インチ当たりの歯数に基づいてブレード２０を減速または加速することによって達成可能とされる。このことは、多種多様な鋸歯について言えることである。
【００３１】
図９は、例えば、動力工具のような製品２８の特性を監視し、製品２８の作動に関する確かな情報を使用者に表示することができる表示装置６０を示す。このような特性は、例えば、作動速度または送り速度、付属品の温度、被加工物の温度等とすることができる。このような装置６０は、現存の「ダム」ツール（ｄｕｍｂ  ｔｏｏｌｓ）（例えば、「スマートアクセサリー」と情報伝達する電子装置を有さない）と共に用いることができる。例えば、「スマート」アクセサリー２０は、切削または穿孔の際の工具２８の最適な力および速度を、視覚的または聴覚的手段を通じて使用者に表示するための表示装置６０に情報伝達するＲＦＩＤ回路２４を含むことができる。このような構成においては、使用者は、装置６０からの信号に基づいて工具２８の作動を調節することが要求されることになるだろう。工具２８にある程度の力を加えることにより、装置６０から、少なくとも速度（トリガ速度制御を通じて）および力の両方が、使用者に対して表示され得る。ＬＥＤ６４（例えば、点灯した緑色ＬＥＤは最適な力に達するにはより強い力が必要であることを示し、点灯した赤色ＬＥＤは最適な力に達するにはより小さな力が必要とされることを示す）と、点灯している矢印６８（例えば、右向き矢印の点灯は、最適速度に到達するのに追加の速度が必要であることを示し、左向き矢印の点灯は、最適速度に到達するのにより小さな速度が必要とされることを示す）と、スピーカ等によって、装置６０は、使用者と情報伝達することができる。表示装置６０は、ＡＣ電源コードを介してＡＣ電源から電力供給されることができる。代替的に、表示装置６０は、電池によって電力供給されることができる。表示装置に電力供給するために用いられるこのような電池は、動力工具用電池または通常の家庭用電池とすることができる。
【００３２】
一例として、必要とされる所望のまたは最適な速度および力は、付属品２０上で、機械的または電子的な様式で、適切な情報伝達部２４によって識別され得る。付属品２０（例えば、ビットまたは鋸歯）および距離計測装置４８は、変位の変化（△ｄ）および作動速度に関する情報を装置６０に伝達することができる。この情報により、装置６０は、製品２８に対する力および速度を増大または減少させることを使用者に知らせる。温度センサ２４を付属品２０の中に加えることによって（例えば、付属品の本体中、または付属品のＲＦＩＤタグ中に位置付けられる）、その情報伝達は、付属品２０の寿命を延ばすためにさらに有用になり得る。
【００３３】
ある顧客は、例えば、在庫目的で製品を識別するために従来のバーコードの代わりに供給者がＲＦＩＤ技術を使用することを推奨している。例えば、付属品は、包装上にＲＦＩＤタグを有することが要求される場合がある。動力工具２８との情報伝達の目的でＲＦＩＤインテグラル２４（ＲＦＩＤ  ｉｎｔｅｇｒａｌ  ２４）を有する「スマート」アクセサリー２０は、また、在庫システム内で付属品２０を識別することが可能である（例えば、在庫作業の際に、付属品を識別するために読み取り機を使用可能とされる）。このデュアルモードのＲＦＩＤシステムは、２つの別々のタグ（例えば、１つのＲＦＩＤタグは在庫管理のため、もう１つのＲＦＩＤタグは作動の情報伝達のため）、または在庫管理のための１つのＲＦＩＤタグと、製品とを情報伝達するための付属品における他の機械的または電子的性質に関し費用を節約することができる。
【００３４】
図１０Ａおよび図１０Ｂは、動力工具の速度制御をタコメータによるフィードバックの形式で監視する方法を示す。その動力工具は、モータシャフト７０と、ベアリング７１と、磁石７２、および、整流子７６とを含む。この速度制御は、磁石７２を整流子７６の後ろに置き、Ｎ極−Ｓ極率を検出するようにインダクタ８０を磁石７２の近くに配置し、動力工具の回転数（ｒｐｍ）を判断する。
【００３５】
例えば、穴２４とピックアップセンサ３６とを備えた丸鋸歯のような「スマート」アクセサリー２０の構成によれば、タコメータによるフィードバック磁石方法は、必要ではない。この「スマート」アクセサリー２０は、二重の目的を有する。付属品２０と工具２８との間の情報伝達のための手段として機能し、且つ、工具２８の速度制御のための情報を供給するように機能する。
【００３６】
図１１Ａおよび図１１Ｂは、温度センサ２４を含む「スマート」アクセサリー２０を示す。図示されているように、温度センサ２４は、ＲＦＩＤ部品２４の一部である。代替的に、図３Ａおよび図５Ｂと同様に、独立型の温度センサ２４は、付属品２０の本体内に位置付け可能とされる。大部分の動力工具付属品は、被加工物の材料を除去するために用いられる。切削、研削、穿孔、鋸引き等の作業において、材料除去工程の間に温度上昇がある。温度は、一般的な衝撃による損傷を除けば、切刃の劣化の主要因である。従って、付属品の温度を監視し、この情報を動力工具および使用者に与える能力は、切削工具の寿命の延命および／または切削工具の性能を向上させるために重要である。「スマート」アクセサリー２０は、従って、切削工具の温度を動力工具２８に情報伝達し、この情報に基づいて動力工具２８の動作を調節するプロセスを促進することができる。
【００３７】
説明された構成は、上述され、図面で示された複数の実施例からの多種多様な代替および変更を含むことが理解されるべきである。その技術分野の当業者は、本明細書における開示からそのような代替および変更を認識でき、従って、このような代替および変更は、本発明の精神および範囲内にある。
【図面の簡単な説明】
【００３８】
【図１Ａ】例えば、動力工具のような製品と情報伝達するための接触／機械式の情報伝達の構成と、例えば、丸鋸歯のような付属品とを示す側面図である。
【図１Ｂ】例えば、動力工具のような製品と情報伝達するための接触／機械式の情報伝達構成を示す、例えば、ドリルビットのような付属品の側面図および端面図である。
【図１Ｃ】例えば、動力工具のような製品と情報伝達するための接触／機械式の情報伝達構成を示す、例えば、往復鋸歯のような付属品の側面図である。
【図２Ａ】例えば、動力工具のような製品と情報伝達するための非接触／機械式の情報伝達構成を示す、付属品中におけるいくつかの穴と共に示される例えば、丸鋸歯のような付属品の側面図である。
【図２Ｂ】例えば、動力工具のような製品と情報伝達するための非接触／機械式の情報伝達構成を示す、付属品中におけるいくつかの穴と共に示される例えば、丸鋸歯のような付属品の側面図である。
【図２Ｃ】例えば、動力工具のような製品と情報伝達するための非接触／機械式の情報伝達構成を示す、付属品中におけるいくつかの穴と共に示される例えば、丸鋸歯のような付属品の側面図である。
【図２Ｄ】例えば、動力工具のような製品と情報伝達するための非接触／機械式の情報伝達構成を示す、付属品中におけるいくつかの穴と共に示される例えば、丸鋸歯のような付属品の側面図である。
【図２Ｅ】例えば、動力工具のような製品と情報伝達するための非接触／機械式の情報伝達構成を示す、付属品中におけるいくつかの穴と共に示される例えば、丸鋸歯のような付属品の側面図である。
【図２Ｆ】例えば、動力工具のような製品と情報伝達するための非接触／機械式の情報伝達構成を示す、付属品中におけるいくつかの穴と共に示される例えば、丸鋸歯のような付属品の側面図である。
【図２Ｇ】例えば、動力工具のような製品と情報伝達するための非接触／機械式の情報伝達構成を示す、付属品中におけるいくつかの穴と共に示される例えば、丸鋸歯のような付属品の側面図である。
【図３Ａ】例えば、動力工具のような製品と情報伝達するための電子式の情報伝達構成を示す、例えば、ドリルビットのような付属品の部分断面側面図である。
【図３Ｂ】例えば、動力工具のような製品と情報伝達するための電子式の情報伝達構成を示す、例えば、丸鋸歯のような付属品の側面図である。
【図３Ｃ】３Ｃ−３Ｃ線に沿って描かれた、図３Ｂに示される付属品の断面図である。
【図３Ｄ】例えば、動力工具のような製品と情報伝達するための電子式の情報伝達構成を示す、例えば、丸鋸歯のような付属品の側面図である。
【図３Ｅ】例えば、動力工具のような製品と情報伝達するための電子式の情報伝達構成を示す、例えば、往復鋸歯のような付属品の側面図である。
【図４Ａ】例えば、ロータリーハンマービットのような付属品の側面図である。
【図４Ｂ】２つの刃と共に示される、例えば、ロータリーハンマービットのような付属品の略底面図である。
【図４Ｃ】４つの刃と共に示される、例えば、ロータリーハンマービットのような付属品の略底面図である。
【図４Ｄ】例えば、ロータリーハンマービットのような付属品によって穿孔される例示的な穴の略側面図である。
【図５Ａ】深さセンサの構成を含む例えば、ハンマードリルのような製品と、例えば、ドリルビットのような付属品との斜視図である。
【図５Ｂ】深さセンサの構成を含む例えば、ハンマードリルのような製品と、例えば、ドリルビットのような付属品との側面図である。
【図６】例えば、丸鋸のような製品と、例えば、丸鋸歯のような付属品との斜視図である。
【図７Ａ】例えば、グラインダのような製品と、例えば、砥石車のような付属品との部分切断側面図である。
【図７Ｂ】例えば、動力工具のような製品と情報伝達するための非接触／機械式の情報伝達の構成を示す、例えば、砥石車のような付属品の底面図である。
【図７Ｃ】例えば、動力工具のような製品と情報伝達するための電子式の情報伝達の構成を示す、例えば、砥石車のような付属品の底面図である。
【図８Ａ】例えば、動力工具のような製品と情報伝達するための非接触／機械式の情報伝達の構成を示す、例えば、往復動鋸歯のような付属品と、例えば、往復鋸のような製品と、の底面図である。
【図８Ｂ】図８Ａに示される付属品の一部の側面図である。
【図９】例えば、ドリルビット、鋸歯等のような付属品と、例えば、動力工具のような製品とともに使用するための外部装置の斜視図である。
【図１０Ａ】例えば、ドリルビット、鋸歯等のような付属品と共に使用するために作動可能な例えば、動力工具のような製品の略側面図である。
【図１０Ｂ】図１０Ａに示される製品の一部の略正面図である。
【図１１Ａ】例えば、動力工具のような製品と情報伝達するための電子式の情報伝達の構成を示す、例えば、ドリルビットのような付属品の一部分が断面であらわされる側面図である。
【図１１Ｂ】例えば、動力工具のような製品と情報伝達するための電子式の情報伝達の構成を示す、例えば、ホールソーのような付属品の断面図である。
【図１Ａ】
2008524003.tif 000003
【図１Ｂ】
2008524003.tif 000004
【図１Ｃ】
2008524003.tif 000005
【図２Ａ】
2008524003.tif 000006
【図２Ｂ】
2008524003.tif 000007
【図２Ｃ】
2008524003.tif 000008
【図２Ｄ】
2008524003.tif 000009
【図２Ｅ】
2008524003.tif 000010
【図２Ｆ】
2008524003.tif 000011
【図２Ｇ】
2008524003.tif 000012
【図３Ａ】
2008524003.tif 000013
【図３Ｂ】
2008524003.tif 000014
【図３Ｃ】
2008524003.tif 000015
【図３Ｄ】
2008524003.tif 000016
【図３Ｅ】
2008524003.tif 000017
【図４Ａ】
2008524003.tif 000018
【図４Ｂ】
2008524003.tif 000019
【図４Ｃ】
2008524003.tif 000020
【図４Ｄ】
2008524003.tif 000021
【図５Ａ】
2008524003.tif 000022
【図５Ｂ】
2008524003.tif 000023
【図６】
2008524003.tif 000024
【図７Ａ】
2008524003.tif 000025
【図７Ｂ】
2008524003.tif 000026
【図７Ｃ】
2008524003.tif 000027
【図８Ａ】
2008524003.tif 000028
【図８Ｂ】
2008524003.tif 000029
【図９】
2008524003.tif 000030
【図１０Ａ】
2008524003.tif 000031
【図１０Ｂ】
2008524003.tif 000032
【図１１Ａ】
2008524003.tif 000033
【図１１Ｂ】
2008524003.tif 000034
【国際調査報告】
2008524003.tif 000035
2008524003.tif 000036
2008524003.tif 000037
2008524003.tif 000038